【手続補正書】
【提出日】平成26年4月17日(2014.4.17)
【手続補正１】
【補正対象書類名】特許請求の範囲
【補正対象項目名】全文
【補正方法】変更
【補正の内容】
【特許請求の範囲】
【請求項１】
電力使用を管理する方法であって、
予め設定された期間に関連する割当てられた電力値を取得すること、
消費された電力および対応する消費されたエネルギーのうちの少なくとも１つを測定して前記消費された電力の値および消費されたエネルギーの値を判定すること、
前記消費された電力の値が前記割当てられた電力の値を超えた場合に減少された負荷条件を試みることを備える、方法。
【請求項２】
前記消費された電力の値が前記割当てられた電力の値を超えた場合、電力をオフに切り換えることを更に備える、請求項１に記載の方法。
【請求項３】
前記消費された電力の値が前記割当てられた電力の値を超えた場合に停電状態であることを特定することを更に備える、請求項２に記載の方法。
【請求項４】
前記消費された電力の値が前記割当てられた電力の値を超えた場合に第１信号を生成することを更に備える、請求項１に記載の方法。
【請求項５】
前記消費された電力の値が前記割当てられた電力の値を超えた場合、前記第１信号を送信した後に予め設定された時間に電力をオフに切り換えることを更に備える、請求項４に記載の方法。
【請求項６】
前記電力をオフに切り換えることは、エネルギー消費者により実施される、請求項５に記載の方法。
【請求項７】
前記電力をオフに切り替えた後、割当てられた値だけ電力をオンに切り替える、請求項５に記載の方法。
【請求項８】
割当てられた値だけ電力をオンに切り替えることは、コマンドに応答して起こる、請求項７に記載の方法。
【請求項９】
線電圧値を所得すること、
前記線電圧値を閾値電圧と比較すること、
減少された電圧値を規定したエネルギー節約パラメータを取得すること、
前記減少された電圧値に対応する減少された電力値を供給することを備え、
前記減少された電力値は、前記線電圧値が前記閾値電圧を超えた場合に供給される、請求項１に記載の方法。
【請求項１０】
前記エネルギー節約パラメータは、所望の二乗平均平方根の電圧値、所望の電圧低減割合、および所望の節約低減割合のうちの少なくとも１つを含む、請求項９に記載の方法。
【請求項１１】
前記エネルギー節約パラメータ、節約されたエネルギーの量、前記電圧低減割合、前記節約低減割合のうちの少なくとも１つを表示することをさらに備える、請求項１０に記載の方法。
【請求項１２】
前記エネルギー節約パラメータを所得することは、期間に関連するクロックデータを取得することを含み、
前記期間は、時間データ、曜日データ、時間データを含む、請求項９に記載の方法。
【請求項１３】
前記エネルギー節約パラメータは、エネルギー消費の際に取得される、請求項１２に記載の方法。
【請求項１４】
前記減少された負荷条件は、自動的に電源をオフにすることを含む、請求項１に記載の方法。
【請求項１５】
電力使用を管理するシステムであって、
記憶された命令を有するコンピュータ読み取り可能不揮発性メモリと通信するマイクロプロセッサを備え、
前記命令が前記マイクロプロセッサによって実行された場合、前記命令は、
予め設定された期間に関連する割当てられた電力の値を取得すること、
消費された電力および対応する消費されたエネルギーのうちの少なくとも１つを測定して前記消費された電力の値および消費されたエネルギーの値を判定すること、
前記消費された電力の値が前記割当てられた電力の値を超えた場合に減少された負荷条件を試みることを前記マイクロプロセッサに実行させる、システム。
【請求項１６】
前記減少された負荷条件は、自動的に電源をオフにすることを含む、請求項１５に記載のシステム。
【請求項１７】
電力使用を管理する方法であって、
線電圧値を所得すること、
前記線電圧値を閾値電圧と比較すること、
減少された電圧値を規定したエネルギー節約パラメータを取得すること、
前記減少された電圧値に対応する減少された電力の値を供給することであって、前記減少された電力の値は、前記閾値電圧が前記線電圧値よりも小さい場合に供給される、前記減少された電力の値を供給すること、
前記エネルギー節約パラメータ、節約されたエネルギーの量、電圧低減割合、節約低減割合のうちの少なくとも１つを表示することを備える、方法。
【請求項１８】
予め設定された期間に関連する割当てられた電力の値を取得すること、
消費された電力の値が前記割当てられた電力の値を超えた場合に減少された負荷条件を試みること、
前記消費された電力の値が前記割当てられた電力の値を超えた場合、電力をオフに切り換えることをさらに備える、請求項１７に記載の方法。
【請求項１９】
前記消費された電力の値が前記割当てられた電力の値を超えた場合に停電状態であることを特定すること、
前記閾値電圧が前記線電圧値よりも小さい場合に節約状態であることを特定することをさらに備える、請求項１８に記載の方法。
【請求項２０】
電力使用を管理するシステムであって、
記憶された命令を有するコンピュータ読み取り可能不揮発性メモリと通信するマイクロプロセッサを備え、
前記命令が前記マイクロプロセッサによって実行された場合、前記命令は、
線電圧値を所得すること、
前記線電圧値を閾値電圧と比較すること、
減少された電圧値を規定したエネルギー節約パラメータを取得すること、
前記減少された電圧値に対応する減少された電力の値を供給することであって、前記減少された電力の値は、前記閾値電圧が前記線電圧値よりも小さい場合に供給される、前記減少された電力の値を供給すること、
消費された電力および対応する消費されたエネルギーのうちの少なくとも１つを測定して前記消費された電力の値および消費されたエネルギーの値を判定すること、
前記エネルギー節約パラメータ、節約されたエネルギーの量、電圧低減割合、節約低減割合のうちの少なくとも１つを表示することをマイクロプロセッサに実行させる、システム。
【請求項２１】
前記マイクロプロセッサは、電力使用、力率、サージのうちの少なくとも１つを含む統計データを記録するように構成される、請求項２０に記載のシステム。
【請求項２２】
前記マイクロプロセッサは、前記閾値電圧が前記線電圧値よりも小さい場合に節約状態であることを特定するように構成される、請求項２０に記載のシステム。
【請求項２３】
前記マイクロプロセッサは、
予め設定された期間に関連する割当てられた電力の値を供給すること、
前記消費された電力の値が前記割当てられた電力の値を超えた場合に減少された負荷条件を試みること、
前記消費された電力の値が前記割当てられた電力の値を超えた場合に電力をオフに切り換えることを実行するように構成される、請求項２０に記載のシステム。
【請求項２４】
前記マイクロプロセッサは、前記消費された電力の値が前記割当てられた電力の値を超えた場合に停電状態であることを特定するように構成される、請求項２３に記載のシステム。
【請求項２５】
電力使用を管理する方法であって、
予め設定された期間に関連する割当てられた電力の値を取得すること、
線電圧値を所得すること、
消費された電力および対応する消費されたエネルギーのうちの少なくとも１つを測定して前記消費された電力の値および消費されたエネルギーの値を判定すること、
前記消費された電力の値が前記割当てられた電力の値を超えた場合に減少された負荷条件を試みること、
減少された電圧値を規定したエネルギー節約パラメータを取得すること、
前記線電圧値を閾値電圧と比較すること、
前記減少された電圧値に対応する減少された電力値を供給することを備え、
前記減少された電力の値は、前記線電圧値が前記閾値電圧を超えた場合に供給される、方法。
【請求項２６】
前記エネルギー節約パラメータは、所望の二乗平均平方根の電圧値、所望の電圧低減割合、および所望の節約低減割合のうちの少なくとも１つを含む、請求項２５に記載の方法。
【請求項２７】
前記エネルギー節約パラメータ、節約されたエネルギーの量、前記電圧低減割合、前記節約低減割合のうちの少なくとも１つを表示することをさらに備える、請求項２６に記載の方法。
【請求項２８】
前記エネルギー節約パラメータを所得することは、期間に関連するクロックデータを取得することを含み、
前記期間は、時間データ、曜日データ、時間データを含む、請求項２５に記載の方法。